【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
情報処理装置のコンピュータに、
ＡＯＳＳ（ＡｉｒＳｔａｔｉｏｎ  Ｏｎｅ−Ｔｏｕｃｈ  Ｓｅｃｕｒｅ  Ｓｙｓｔｅｍ）、らくらく無線スタート、及びＷＰＳ（Ｗｉ−Ｆｉ  Ｐｒｏｔｅｃｔｅｄ  Ｓｅｔｕｐ）のうちいずれかである所定の規格に基づく接続処理を、所定のアクセスポイントが実行可能か否かを判定する判定ステップと、
前記接続処理を前記所定のアクセスポイントが実行可能であると判定された場合、前記接続処理を前記所定のアクセスポイントに実行させるための所定の操作を、前記所定のアクセスポイントに対して実行することをユーザに通知するための通知処理を実行する通知ステップと、
を実行させることを特徴とするプログラム。
【請求項２】
前記所定の操作に基づいて実行される前記接続処理によって、前記情報処理装置及び前記所定のアクセスポイントと異なる通信装置と、前記所定のアクセスポイントとの間の接続が確立されることを特徴とする請求項１に記載のプログラム。
【請求項３】
前記接続処理を前記通信装置が実行可能か否かを判定する第２判定ステップをさらに実行させ、
前記接続処理を前記所定のアクセスポイントが実行可能であると判定され、且つ前記接続処理を前記通信装置が実行可能であると判定された場合、前記通知処理が実行されることを特徴とする請求項２に記載のプログラム。
【請求項４】
前記接続処理を前記通信装置が実行可能か否かを示す情報を、前記情報処理装置と前記通信装置との間の接続を介して、前記通信装置から受信する受信ステップをさらに実行させ、
前記受信された前記接続処理を前記通信装置が実行可能か否かを示す情報に基づいて、前記接続処理を前記通信装置が実行可能か否かが判定されることを特徴とする請求項３に記載のプログラム。
【請求項５】
前記通信装置の接続設定を行うための所定の指示をユーザから受け付ける受け付けステップと、
少なくとも前記所定の指示が受け付けられたときに前記情報処理装置が接続していたアクセスポイントと前記通信装置が接続可能でなく、且つ前記接続処理を前記所定のアクセスポイントが実行可能であると判定された場合、前記通知処理が実行されることを特徴とする請求項２乃至４のいずれか１項に記載のプログラム。
【請求項６】
前記通信装置が接続可能な１又は複数のアクセスポイントのリストを前記通信装置から取得する取得ステップを、さらに実行させ、
前記リストに、少なくとも前記所定の指示が受け付けられたときに前記情報処理装置が接続していたアクセスポイントが含まれない場合、少なくとも前記所定の指示が受け付けられたときに前記情報処理装置が接続していたアクセスポイントと前記通信装置が接続可能でなく、
前記リストに、少なくとも前記所定の指示が受け付けられたときに前記情報処理装置が接続していたアクセスポイントが含まれる場合、少なくとも前記所定の指示が受け付けられたときに前記情報処理装置が接続していたアクセスポイントと前記通信装置が接続可能であることを特徴とする請求項５に記載のプログラム。
【請求項７】
少なくとも前記所定の指示が受け付けられたときに前記情報処理装置が接続していたアクセスポイントと前記通信装置が接続可能である場合、前記所定の指示が受け付けられたときに前記情報処理装置が接続していたアクセスポイントと接続するための接続情報を、前記情報処理装置と前記通信装置との間の接続を介して、前記通信装置に送信する送信ステップを、さらに実行させ、
前記所定の指示が受け付けられたときに前記情報処理装置が接続していたアクセスポイントと接続するための前記接続情報に基づいて、前記所定の指示が受け付けられたときに前記情報処理装置が接続していたアクセスポイントと前記通信装置とが接続することを特徴とする請求項６に記載のプログラム。
【請求項８】
前記接続処理を前記所定のアクセスポイントが実行可能であると判定された場合、前記接続処理の実行指示を、前記情報処理装置と前記通信装置との間の接続を介して、前記通信装置に送信する指示送信ステップをさらに実行させることを特徴とする請求項２乃至７のいずれか１項に記載のプログラム。
【請求項９】
前記通信装置が実行する前記接続処理は、前記接続処理を実行している前記所定のアクセスポイントが発するビーコンを検索する処理及び、前記検索により発見したビーコンを発する前記所定のアクセスポイントから前記所定のアクセスポイントと接続するための接続情報を取得する処理であることを特徴とする請求項２乃至８のいずれか１項に記載のプログラム。
【請求項１０】
前記情報処理装置と前記通信装置との間の接続は、Ｗｉ−Ｆｉであることを特徴とする請求項２乃至９のいずれか１項に記載のプログラム。
【請求項１１】
前記情報処理装置と前記通信装置との間の接続は、Ｂｌｕｅｔｏｏｔｈ  Ｃｌａｓｓｉｃ、又はＢｌｕｅｔｏｏｔｈ  Ｌｏｗ  Ｅｎｅｒｇｙによる接続であることを特徴とする請求項２乃至９のいずれか１項に記載のプログラム。
【請求項１２】
前記所定のアクセスポイントと前記通信装置との間の接続及び前記所定のアクセスポイントと前記情報処理装置との間の接続は、Ｗｉ−Ｆｉによる接続であることを特徴とする請求項２乃至１１のいずれか１項に記載のプログラム。
【請求項１３】
前記通信装置は、印刷を実行するプリンタであることを特徴とする請求項２乃至１２のいずれか１項に記載のプログラム。
【請求項１４】
前記接続処理が実行された後、前記所定のアクセスポイントを介して前記通信装置に印刷ジョブが送信されることを特徴とする請求項２乃至１３のいずれか１項に記載のプログラム。
【請求項１５】
前記所定のアクセスポイントは、前記通信装置が接続可能な１又は複数のアクセスポイントのリストからユーザによって選択されたアクセスポイントであることを特徴とする請求項２乃至１４のいずれか１項に記載のプログラム。
【請求項１６】
ユーザから、前記所定のアクセスポイントと接続するための接続情報の入力を受け付ける受け付けステップと、
前記入力された前記接続情報に基づいて前記情報処理装置が前記所定のアクセスポイントと接続可能か否かを判定する第３判定ステップをさらに実行させ、
前記入力された前記接続情報に基づいて前記情報処理装置が前記所定のアクセスポイントと接続可能でないと判定され、且つ前記接続処理を前記所定のアクセスポイントが実行可能であると判定された場合、前記通知処理が実行され、
前記入力された前記接続情報に基づいて前記情報処理装置が前記所定のアクセスポイントと接続可能であると判定された場合、前記情報処理装置と前記通信装置との間の接続を介して、前記入力された前記接続情報が、前記通信装置に送信され、
前記入力された前記接続情報が、前記通信装置によって受信された場合、前記入力された前記接続情報に基づいて、前記通信装置が前記所定のアクセスポイントと接続することを特徴とする請求項２乃至１５のいずれか１項に記載のプログラム。
【請求項１７】
前記所定のアクセスポイントが実行する前記接続処理は、前記接続処理を実行している他の装置が受信可能な所定のビーコンを発する処理であることを特徴とする請求項１乃至１６のいずれか１項に記載のプログラム。
【請求項１８】
前記所定の規格は、前記所定のアクセスポイントと接続するための接続情報の入力を前記情報処理装置がユーザから受け付けることなく前記所定のアクセスポイントとの接続を確立するためのであることを特徴とする請求項１乃至１７のいずれか１項に記載のプログラム。
【請求項１９】
前記接続情報は、アクセスポイントと接続するためのパスワードを含むことを特徴とする請求項１８に記載のプログラム。
【請求項２０】
前記通知処理は、前記所定の操作を、前記所定のアクセスポイントに対して実行することをユーザに通知するための通知画面を表示する処理であることを特徴とする請求項１乃至１９のいずれか１項に記載のプログラム。
【請求項２１】
前記通知画面には、前記所定のアクセスポイントの識別情報が含まれることを特徴とする請求項２０に記載のプログラム。
【請求項２２】
情報処理装置の制御方法であって、
ＡＯＳＳ（ＡｉｒＳｔａｔｉｏｎ  Ｏｎｅ−Ｔｏｕｃｈ  Ｓｅｃｕｒｅ  Ｓｙｓｔｅｍ）、らくらく無線スタート、及びＷＰＳ（Ｗｉ−Ｆｉ  Ｐｒｏｔｅｃｔｅｄ  Ｓｅｔｕｐ）のうちいずれかである所定の規格に基づく接続処理を、所定のアクセスポイントが実行可能か否かを判定する判定ステップと、
前記接続処理を前記所定のアクセスポイントが実行可能であると判定された場合、前記接続処理を前記所定のアクセスポイントに実行させるための所定の操作を、前記所定のアクセスポイントに対して実行することをユーザに通知するための通知処理を実行する通知ステップと、
を有することを特徴とする制御方法。
【請求項２３】
情報処理装置であって、
ＡＯＳＳ（ＡｉｒＳｔａｔｉｏｎ  Ｏｎｅ−Ｔｏｕｃｈ  Ｓｅｃｕｒｅ  Ｓｙｓｔｅｍ）、らくらく無線スタート、及びＷＰＳ（Ｗｉ−Ｆｉ  Ｐｒｏｔｅｃｔｅｄ  Ｓｅｔｕｐ）のうちいずれかである所定の規格に基づく接続処理を、所定のアクセスポイントが実行可能か否かを判定する判定手段と、
前記接続処理を前記所定のアクセスポイントが実行可能であると判定された場合、前記接続処理を前記所定のアクセスポイントに実行させるための所定の操作を、前記所定のアクセスポイントに対して実行することをユーザに通知するための通知処理を実行する通知手段と、
を実行させることを特徴とする情報処理装置。
【手続補正２】
【補正対象書類名】明細書
【補正対象項目名】０００７
【補正方法】変更
【補正の内容】
【０００７】
本発明のプログラムは、情報処理装置のコンピュータに、
ＡＯＳＳ（ＡｉｒＳｔａｔｉｏｎ  Ｏｎｅ−Ｔｏｕｃｈ  Ｓｅｃｕｒｅ  Ｓｙｓｔｅｍ）、らくらく無線スタート、及びＷＰＳ（Ｗｉ−Ｆｉ  Ｐｒｏｔｅｃｔｅｄ  Ｓｅｔｕｐ）のうちいずれかである所定の規格に基づく接続処理を、所定のアクセスポイントが実行可能か否かを判定する判定ステップと、
前記接続処理を前記所定のアクセスポイントが実行可能であると判定された場合、前記接続処理を前記所定のアクセスポイントに実行させるための所定の操作を、前記所定のアクセスポイントに対して実行することをユーザに通知するための通知処理を実行する通知ステップと、
を実行させることを特徴とする。